(57)【要約】【課題】必要に応じてゴニオメータの各軸の長さを任意の長さに伸ばすことが出来、角度と長さの測定を同時に可能とするとともに、目盛等の誤読を減らし、小児にも受け入れ易い素材と色調とすることを提供する。【解決手段】長さの目盛をつけた基本軸および移動軸は、基本スライド軸２および移動スライド軸４のスライドにより伸縮可能となり任意の長さの測定も可能となった。さらに、ロック機構を設け、最大伸長時に抜けないように考慮した。移動本体軸３にはレンズ部８を設け分度器の角度目盛と数字が拡大して見えるようにした。各軸の素材は有機高分子材とするともに適切な着色を施すことにより素材も色調もとくに小児に受け入れ易いものとした。【選択図】図１
2013076686.tif 000002
【特許請求の範囲】
【請求項１】
基本本体軸１と基本スライド軸２からなる基本軸および移動本体軸３と移動スライド軸４からなる移動軸の全ての軸にスライド機構を設けることを特徴とするイクステンドゴニオメータ。
【請求項２】
基本本体軸１および移動本体軸３に収納された基本スライド軸２および移動スライド軸４は、いずれにも外れない構造を有することを特徴とする請求項１に記載のイクステンドゴニオメータ。
【請求項３】
素材の物性を利用して、基木スライド軸２および移動スライド軸４をそれぞれ基本本体軸１および移動本体軸３に組み込む機構としたことを特徴とする請求項２に記載のイクステンドゴニオメータ。
【請求項４】
各本体軸１、３および各スライド軸２、４に制動機能を有するロック機構を設けたことを特徴とする請求項３に記載のイクステンドゴニオメータ。
【請求項５】
各軸の長軸方向に長さを表す目盛と数字を設けたことを特徴とする請求項４に記載のイクステンドゴニオメータ。
【請求項６】
移動本体軸３にレンズ機構を設けたことを特徴とする請求項５に記載のイクステンドゴニオメータ。
【請求項７】
各軸の素材を有機高分子材にし、各軸に着色を施したことを特徴とする請求項６に記載のイクステンドゴニオメータ。
【発明の詳細な説明】
【技術分野】
【０００１】  本発明は身体の関節角度、形態、肢長および骨の長さをより正確に測定することに関するものである。
【背景技術】
【０００２】  従来のゴニオメータの多くは金属製の基本軸と移動軸から成り、主に関節の角度を測る目的で使用され、一部に有用とは言えないが長さを測れるものもある。ゴニオメータは基本軸に分度器機構を備え移動軸の一端を分度器の中心で可動できる範囲で半固定したもので、関節の中心にその分度器の中心をあて、鋏のように動く基本軸と移動軸を身体部位の各測定点にあてがったときの両軸のなす角を測定するものである。【０００３】  実際の臨床の場では通常は小型のものを携帯するが、様々な大きさの関節等に対し適合しない場合は数種類の大きさのゴニオメータを使用する必要があった。【０００４】  従来のゴニオメータの機能は前述したように主に関節角度を測定することであり、長さの測定を必要とする場合には有用な目盛を設けていないことにより測定に限界があった。【０００５】  従来のゴニオメータの角度の目盛は細かいことと色彩的に識別しにくいため、誤読、読み直しおよび読み取り時間の遅延などの問題があった。【０００６】  従来のゴニオメータは金属製のものが多く、その形状や灰色系統の色彩からくる恐怖感、マイナスイメージおよび冷たい、暗い等の連想により診察や検査に支障が生じていた。
【発明の開示】
【発明が解決しようとする課題】
【０００７】  従来のゴニオメータには次のような欠点があった。
（イ）臨床の場で関節角度等を測定するときに、常に様々な大きさの関節等に適合出来るとは限らなかった。
（ロ）長さを測る機能は十分に備わっていないため、長さの測定ではゴニオメータの外に他の測定器具（巻尺、定規等）も使用する必要があった。
（ハ）対照トーンによる色彩調和（カラーハーモニー）が考慮されていない識別しにくい色彩に加え、角度の目盛が細かいために目盛の誤読や読み直しおよび読み取り時間の遷延などがあった。
（ニ）ゴニオメータの多くは金属製で、その冷たい素材、形状および色彩にともなうマイナスイメージや連想により恐怖心を煽る場合があり、とくに小児においてはしばしば診察や検査の妨げになっていた。
本発明は、以上のような問題点を改善することを目的としたものである。
【課題を解決するための手段】
【０００８】  請求項１に記載の発明では、基本本体軸１が基本スライド軸２を収納すると同様に、移動本体軸３は移動スライド軸４を収納し、両スライド軸が長軸方向にスライドすることで基本軸および移動軸全体の長さが伸縮する機構を備えたところを特徴としている。【０００９】  請求項２に記載の発明は、各スライド軸２、４の横断面形状を各本体軸１、３の横断面形状と同じ台形とすることで、各スライド軸が収納状態のときは台形の短い底辺が表面に来るため、その上面（表面）方向にも外れない構造となることを特徴としている。【００１０】  請求項３に記載の発明は、各スライド軸２、４を各本体軸１、３に組み込む方法において、スライド軸右端部を本体軸右端ロック部の溝内に滑り込むように挿入したとき、スライド軸左端のロック部は幾何学的に組み込み不可能であるが、素材（有機高分子材）の弾性限度内で本体軸スライド部の溝（台形断面の短い底辺）が拡がるように、長軸に沿って本体軸に曲げモーメントを加えると、容易にはめ込むことが出来る構造としたことを特徴としている。【００１１】  請求項目４に記載の発明は、各本体軸１、３の右端にロック部５および各スライド軸２、４の左端にロック部６の斜めに加工した突起を設け、各スライド軸を（Ｆ）なる力で最大に伸ばしたとき、スライド軸および本体軸の各々のロック部が互いに噛み合い制動機能を果たすと同時に、スライド軸ロック部６の斜め部分に加わる本体軸側からの反力（Ｆ）によって生じる長軸方向と９０度の方向の分力（ｆ）は、スライド軸を本体軸側の直線のスライド部７に押し付けるように働く（ロック作用）ため、接合部でのスライド軸のグラツキを無くすだけでなく本体軸と最大に伸ばしたスライド軸は直線的に接合することを特徴としている。【００１２】  請求項５に記載の発明は、各本体軸１、３と各スライド軸２、４の全ての軸に十分な距離で目盛りを設けることにより定規として有用な機能を持つことを特徴としている。【００１３】  請求項６に記載の発明は、移動本体軸３が基本本体軸１の分度器上の目盛と数字をなぞりながら移動するとき、移動本体軸３のなぞる部分をレンズ状の形状にすることで、分度器上の目盛および数字を拡大して見せることを特徴としている。【００１４】  請求項７に記載の発明は、各本体軸と各スライド軸に蛍光色を含めた適切な着色を施すことで知覚的にも色彩調和の観点からも目盛と数字を識別し易くすること、および色彩連想（色から連想するもの）の見地から考えると近年、病院等では看護師の白衣においても淡いピンク色（暖かい、柔らか、温情、幸福感等）が診療科によっては普通に使用されていること、それとは反対に灰色を基調とする色には抽象的連想として陰鬱、寂莫、沈静等があり、とくに小児領域では冷たい印象の金属（実際に冷たい）のゴニオメータを目にしただけで泣
き出す子供もいることを考慮すると、子供にも受け入れやすい素材（有機高分子材）や色調を使うことにより診察および検査をより受け入れ易くすることを特徴としている。
【発明の効果】
【００１５】  請求項１の発明によると、基本軸と移動軸を身体の測定部位に合わせて適切な長さに調整が出来るため、大関節でも小関節でもゴニオメータを換える必要が無く同じゴニオメータを用いて正確な測定が可能となり、例えば手のような小関節の測定に続いて膝や股関節のような大関節も問題なく測定出来ることから、効率的で正確な検査が実施できる。【００１６】  請求項２の発明によると、各本体軸１、３に収納された各スライド軸２、４はスライド方向以外には可動できず外れない単純な構造（台形断面）を持つことから、製作が容易となるため単価の抑制に寄与できる。【００１７】  請求項３の発明によると、スライド軸２、４を本体軸１、３に組み込む方法は余分かつ複雑な加工を施さずに、素材の弾性特性を利用した方法であるため、本体軸およびスライド軸の構造は単純となり、［００１６］と同様に単価の抑制につながる。【００１８】  請求項４の発明によると、スライド軸２、４が抜けることを頓着せずに、最大まで伸ばすことが出来る制動機能は、とくに臨床の場では無駄な手間を省く上で必要なことであり、極めて有用なばかりではなく検査効率を向上させる。【００１９】  請求項５の発明によると、各本体軸１、３および各スライド軸２、４に定規と同様の目盛を設けることで、測定部位の大小にかかわらず肢長、骨の長さおよび臨床上必要な長さ等を測ることができ、とくにレントゲン写真上では、骨の長さやアライメントおよび変形の程度などをこの定規と角度計の機能を使うことで、迅速かつ正確な検査が可能となる。【００２０】  請求項６の発明によると、移動本体軸３に設けたレンズ機構８は、分度器の目盛と数字を拡大して見せるため、誤読の減少とともに検査効率の向上に寄与できる。【００２１】  請求項７の発明によると、各本体軸１、３および各スライド軸２、４に適切な着色を施すことで、とくに小児科領域においては従来のゴニオメータの持つマイナスイメージや恐怖感を和らげる効果があるため、検査あるいは検査器具自体の受け入れが改善され、必要な検査が可能となるとともに診察等の効率化が図れる。
【発明を実施するための最良の形態】
【００２２】  以下、本発明を実施するための最良の実施形態について図面に基づき説明する。なお、各図面において同じ符号を付した部品等は全て同じものを示し、説明に不要な部品等は適宜、図示を省略している。
［図１］は本発明のイクステンドゴニオメータ組立図であり、基本軸（基本本体軸１に基本スライド軸２が収まったもの）および透明な有機高分子材による移動軸（移動本体軸３に移動スラ【００２３】イド軸４が収まったもの）からなり固定材１３で半固定（基本軸と移動軸間の回転が可能な程度の固定状態）され、両軸ともそれぞれ半固定部を中心に適度な抵抗を持って回転し、基本軸上に記した角度目盛と数字を移動軸のレンズ部８越しに読み取ることが出来る。また、基本本体軸１と移動本体軸３に収納された各スライド軸２、４は両者ともスライドにより伸縮させることが出来、各本体軸１、３および移動軸２、４には定規の目盛と数字を記してあるため、長さを測ることも容易である。【００２４】  ［図２］の（ａ）は基本軸組立図、（ｂ）は平面図、（ｃ）は右側面図、（ｄ）はロック部詳細図である。（ａ）の基本軸組立図において基本スライド軸２は基本本体軸１に収納され、伸縮することが出来る。基本スライド軸２を最大に伸ばしたときに、基本本体軸１の本体軸ロック部５および基本スライド軸２のスライド軸ロック部６により伸びは制動される。（ｄ）のロック部詳細図に示すように、基本スライド軸２を（Ｆ）なる力で最大に伸ばしたとき本体軸ロック部５に加わる反力（Ｆ）はスライド方向と９０度の方向、すなわち組立図では下方へ分力（ｆ）として働き、基本スライド軸２を基本本体軸１の直線のスライド部７に押し付けるため、基本本体軸１と基本スライド軸２との接続部（ロック部）では制動機能およびロック機能を持つとともに直線性を保つ機能も持つ。（ｂ）の平面図および（ｃ）の右側面図から基本スライド軸２の下面が基本本体軸１の下面と面が一致していることが分かる。また、（ｃ）の右側面図からは基本スライド軸断面の台形が基本本体軸１の溝の台形と一致し、基本スライド軸２はスライド方向以外に動かず、外れない構造になっていることが分かる。【００２５】  ［図３］の（ａ）は基本本体軸１の下面図で、スライド部７の末端を内側に突起させることで、本体軸ロック部５はスライド軸ロック部６（［図２］（ａ）、（ｄ）参照）の突起と衝突し、基本軸組立図（［００２４］）のところで説明したように、制動機能、ロック機能およびスライド軸の直線性を発揮させる構造が分かる。（ｂ）は基本本体軸１のＡ−Ａ断面図であり、基本スライド軸２を収納する台形の断面構造を示し、（ｃ）のＢ−Ｂ断面図のスライド部の台形の断面構造よりも台形部分の上底と下底を短くしている。このように、基本本体軸１のロック部５では台形断面を絞り込むことで制動およびロック機能を持たしていることが分かる。（ｄ）はＣ−Ｃ断面図を示し、半固定部の構造が分かる。【００２６】  ［図４］の移動軸は、移動本体軸３と移動スライド軸４から構成される。（ａ）の上面図では、スライド部７の末端を内側に突起させることで、制動機能とロック機能を発揮させると同時に移動本体軸３と移動スライド軸４の間の直線性を保つ構造を表している（［００２５］［図３］の機能説明と同じ）。（ｂ）の平面図では移動スライド軸４の上面が移動本体軸３の上面と一致していることが分かる。（ｃ）の下面図では移動軸中心に長軸方向に移動本体軸中心線１１と移動スライド軸中心線１２が引かれており、移動本体軸３が基本本体軸１の分度器上を回転したときに角度の目盛を指す機能を持つ。（ｄ）のＡ−Ａ断面図は移動ス
ライド軸４が移動本体軸３内に納まった状態を示す。（ｅ）のＢ−Ｂ断面図のレンズ部８は角度測定時に基本本体軸１の分度器の目盛と数字を拡大して見せる機能を持つものである。【００２７】  ［図５］は基本スライド軸２および移動スライド軸４を示し、各スライド軸２と４の形状は全く同じである。（ａ）は各スライド軸２、４の鳥瞰図を示し、（ｂ）は上面図、（ｃ）は右側面図、（ｄ）は左側面図である。（ａ）と（ｂ）の図面からは、スライド部７の一方は全域に亘り直線となり、他方は途中から斜めに幅を大きくしロック部６を構成するのが分かる。（ｃ）の右側面図および（ｄ）の左側面図からはスライド軸２、４の断面が台形となっていることが分かり、基本本体軸１あるいは移動本体軸３に組み込まれたときスライド方向以外の動きは制限され、外れない構造（［００２４］で説明）であることがより一層明確になる。【００２８】  ［図６］の断面図では各スライド軸２、４を各本体軸１、３に組み込む機構を図示した。本体軸およびスライド軸ともその素材の物性に弾性があることからその性質を利用し、図に示すように本体軸側に曲げモーメント（Ｍ）を加え弾性限度内で歪を起こしわずかな隙間（δ）を作ることで、スライド軸をはめ込むことが出来るのが分かる。
【図面の簡単な説明】
【００２９】
【図１】基本軸と移動軸の構成を表す組立図である。
【図２】（ａ）は基本本体軸１と基本スライド軸２から構成される基本軸の組立図である。（ｂ）は基本本体軸と基本スライド軸の下面が一致している平面図である。（ｃ）は基本スライド軸が基本本体軸に収納されている右側面図である。（ｄ）はロック機構を説明するロック部詳細図である。
【図３】（ａ）は基本本体軸１の下面図で中心線９が引かれている。（ｂ）はスライド軸２を組み込む台形の溝が分かる断面図である。（ｃ）はＢ−Ｂ断面図の台形の溝はＡ−Ａ断面の台形の溝より大きいのが分かる。（ｄ）は半固定部の構造が分かる断面図である。
【図４】（ａ）は移動本体軸３と移動スライド軸４から構成される移動軸の上面図を示す。（ｂ）は移動スライド軸４の上面が移動本体軸３の上面と一致するのが分かる平面図である。（ｃ）は移動本体軸に沿って中心線１１が引かれているのが分かる下面図で。（ｄ）は移動本体軸３内にスライド軸４が組み込まれた状態を示す断面図である。（ｅ）はレンズ部８の断面図である。
【図５】（ａ）は各スライド軸２、４の鳥瞰図で、ロック部６の形状が分かる。（ｂ）は直線のスライド部とロック部を表す上面図ある。（ｃ）は２つの台形構造を表す右側面図である。（ｄ）はロック部６を含めた台形構造を表す左側面図である。
【図６】はスライド軸２、４を本体軸１、３に組み込む仕組みを説明した図である。
【符号の説明】
【００３０】１        基本本体軸
２        基本スライド軸
３        移動本体軸
４        移動スライド軸
５        本体軸ロック部
６        スライド軸ロック部
７        スライド部
８        レンズ部
９        基本本体軸中心線
１０      基本スライド軸中心線
１１      移動本体軸中心線
１２      移動スライド軸中心線
１３      固定材
【図１】
2013076686.tif 000003
【図２】
2013076686.tif 000004
【図３】
2013076686.tif 000005
【図４】
2013076686.tif 000006
【図５】
2013076686.tif 000007
【図６】
2013076686.tif 000008